(57)【特許請求の範囲】
【請求項１】
被写体を撮像する撮像手段と、
前記撮像手段から出力された画像信号を他の電子機器に送信するインタフェース手段と、
前記インタフェース手段が機能するのに必要な電源を供給するバッテリと、
前記撮像手段から出力された画像信号若しくは前記インタフェース手段より受信された外部からの画像信号を記録媒体に記録し、前記記録媒体に記録されている画像信号を再生する記録再生手段と、
前記撮像手段から出力された画像信号を前記記録媒体に記録する第１のモードが選択されているか、前記記録媒体に記録されている画像信号を再生するか、前記前記インタフェース手段より受信された外部からの画像信号を前記記録媒体に記録する第２のモードが選択されているかに応じて、前記バッテリから前記インタフェース手段への電力供給を制御する制御手段とを有し、
前記制御手段はさらに、前記バッテリの残量に応じて、前記バッテリから前記インタフェース手段への電力供給を制御することを特徴とする携帯型機器。
【請求項２】
前記第１のモードが選択されている場合、前記制御手段は、前記バッテリから前記インタフェース手段への電力供給を制御して前記インタフェース手段を省電力状態にすることを特徴とする請求項１に記載の携帯型機器。
【請求項３】
前記第２のモードが選択されている場合、前記制御手段は、前記インタフェース手段に他の電子機器が接続されているかどうかに応じて、前記バッテリから前記インタフェース手段への電力供給を制御することを特徴とする請求項１または２に記載の携帯型機器。
【請求項４】
前記第２のモードが選択されている場合であって、前記インタフェース手段に他の電子機器が接続されている場合、前記制御手段は、前記バッテリから前記インタフェース手段への電力供給を制御して前記インタフェース手段を省電力状態ではなく通常状態にすることを特徴とする請求項３に記載の携帯型機器。
【請求項５】
前記第２のモードが選択されている場合であって、前記インタフェース手段に他の電子機器が接続されていない場合、前記制御手段は、前記バッテリから前記インタフェース手段への電力供給を制御して前記インタフェース手段を省電力状態にすることを特徴とする請求項３又は４に記載の携帯型機器。
【請求項６】
前記インタフェース手段が省電力状態である場合、前記インタフェース手段はバス上にバイアス電力を出力しないことを特徴とする請求項１から５の何れかに記載の携帯型機器。
【発明の詳細な説明】
【０００１】
【発明の属する技術分野】
本発明は、例えばカメラ一体型デジタルＶＴＲのような携帯型機器の省電力化を図るための技術に関するものである。
【０００２】
【従来の技術】
近年、パーソナルコンピュータ、プリンタ、ハードディスク、デジタルカメラ、デジタルビデオカメラ等の電子機器にて通信システムを構成する際に、統一された汎用型デジタルインタフェースを用いて各電子機器間を接続し、高速なデータ通信を実現しようとする動きが活発化している。
【０００３】
このような観点から開発されている次世代の高速デジタルインタフェースの一つにＩＥＥＥ１３９４−１９９５（以下、１３９４）シリアルバスがある。１３９４では、所定の通信サイクル（例えば、１２５μsec）毎に、同期転送データと非同期転送データとを混在させて通信することができる。同期転送データ（Isochronous転送データ）とは、映像データや音声データのように一定のデータレートで連続的に通信を行なう必要のあるデータであり、非同期データ（Asynchronous転送データ）とは、制御データのように必要に応じて不定期に伝送されるデータである。
【０００４】
また、１３９４は映像データと制御データ等を中継する機能をも備えている。これにより、各電子機器から送信される同期転送データ若しくは非同期転送データは、他の電子機器を介して、通信システム上のすべての電子機器へ転送される。尚、上述のような説明を含んだＩＥＥＥ１３９４シリアルバスの詳細は、ＩＥＥＥ１３９４の仕様書である、「ＩＥＥＥ Standard for a High Performance Serial Bus（ＩＥＥＥ Std １３９４−１９９５）」に公開されている。
【０００５】
このような１３９４シリアルバスを用いて構成された通信システムの一例を図に示す。図４において、４０１はパーソナルコンピュータ（パソコン）、４０２は通信システム内の各電子機器から出力された画像若しくは文書を示すデータを印刷可能なプリンタ、４０３は例えばカメラ一体型デジタルＶＴＲのような携帯型デジタルＶＴＲ、４０４は携帯型デジタルＶＴＲ４０３と例えばデジタルダビングような画像及び制御データのやり取りが可能な据え置き型デジタルＶＴＲ、４０５は各電子機器の１３９４インタフェース間をつなぐ１３９４ケーブである。各電子機器４０１〜４０４は夫々１３９４シリアルバスに準拠したデジタルインタフェースを有しており、夫々１３９４ケーブル４０５にてツリー状に接続されている。
【０００６】
１３９４シリアルバスに準拠したケーブルには、６ピンコネクタ用と４ピンコネクタ用の形状の異なる２種類のケーブルが存在する。６ピンコネクタ用ケーブルは、信号用のツイストペアケーブルを二組と、給電用のペアケーブル端子を一組持っている。また、４ピンコネクタ用ケーブルは、信号用のツイストペアケーブルの端子を二組だけ持ち、電源供給用の端子を持っていない。
【０００７】
１３９４シリアルバスでは、各々の電子機器から出力される転送データをDS-Link符号化方式により符号化し、転送している。したがって、６ピンコネクタケーブルと４ピンコネクタケーブル内部の二組の信号線のうち、一組はデータの伝送に使用され、他の一組はストローブ信号の伝送に使用されている。尚、６ピンコネクタ−４ピンコネクタ間は変換ケーブルを用いることによって接続が可能である。
【０００８】
図４において、パソコン４０１、プリンタ４０２、据え置き型デジタルＶＴＲ４０４の１３９４インタフェースは６ピンコネクタ用のポートを有し、夫々６ピンコネクタケーブルにより接続されている。また、プリンタ５０２、携帯型デジタルＶＴＲ４０３の１３９４インタフェースは夫々４ピンコネクタ用のポートを有し、４ピンコネクタケーブルで接続されている。
【０００９】
６ピンコネクタを用いた１３９４インタフェースを有する電子機器は、電源供給用の端子を有しているため、６ピンコネクタ同士で接続されている他の電子機器のインタフェースに対して電源を供給することが可能である。従って、電子機器本体の電源をオフにすることによって、インタフェースへ供給される電源が遮断されたとしても、隣接される電子機器から供給される電源によりインタフェース側の電源がオフになることはない。このことは即ち、６ピンコネクタ用のインタフェースを用いて構成された通信システムでは、ネットワーク上のどの電子機器の電源をオフにしてもネットワークが切断されることがなく、通信を確保できることを意味している。
【００１０】
また、４ピンコネクタは給電用のペアケーブルが省略されているため、６ピンコネクタに比べ小型で細くしなやかである。４ピンコネクタは主に、携帯型の電子機器特有の問題点、例えばバッテリの容量、接続端子の形状と配置スペース制限、機動性を重視した使用目的等から生ずる種々の問題点を解決するため携帯型の電子機器に用いられる。４ピンコネクタケーブルでは、６ピンコネクタのように、接続先の機器から電源の供給を受けることができないが、カメラ一体型デジタルＶＴＲ４０３のような携帯型の機器では通常、見た目には電源がオフ状態でも内部的にはホットスタンバイ状態であるため、インタフェース側にも電源の供給が可能となる。そのため、携帯型機器のインタフェース側に電源が供給されていれば、６ピンコネクタケーブルにて構成された通信システムに何等問題なく接続することができる。
【００１１】
【発明が解決しようとする課題】
しかしながら、上述した従来のデジタルインタフェースの機能を有する装置では以下のような欠点があった。
【００１２】
図５に１３９４インタフェース部の基本構成を示す。各インタフェース部は１３９４シリアルバスを通じて他の機器を通信を可能とするために、少なくとも物理レイヤ５０１、リンクレイヤ５０２、バス管理レイヤ５０３を備えている。物理レイヤ５０１はバスの初期化、送受信データのエンコード／デコード、バス使用権の調停等の機能を有し、リンクレイヤ５０２は誤り訂正符号の生成／検出、パケットの生成／検出、サイクル制御等の機能を有する。また、バス管理レイヤ５０３は物理、リンクの各レイヤの制御とアプリケーションとの通信を制御する機能を有する。
【００１３】
１３９４インタフェース部に供給される電源は、通常ホスト側の機器の電源から供給されるように構成されているが、給電用のペアケーブルを有したケーブルから取り出しても良い。このようなケーブルを用いて構成された通信システムでは、システム上の各機器が機能する為に必要な電力を各機器がお互いにバスへ供給している。これにより、通信システム上の機器の電源がオフになっても、通信が途中で、途切れることがない。しかし、各機器のインタフェース部には、通信システム間で全く通信が行われていない状況でも該インタフェース部に対して常に給電する必要があり、システム全体から見れば無駄な電力を消費するという欠点があった。
【００１４】
更に、給電用のペアケーブルを持っていないケーブルを用いて上記の通信システムに新たな機器を接続した場合、該機器は接続先の機器から電源の供給を受けることができない。そのため、新たに接続された機器が通信システムと１３９４シリアルバスの機能を利用した通信を行うためには該機器の内部電源若しくは外部電源を使用する。特に、新たに接続された機器がバッテリで駆動するカメラ一体型デジタルＶＴＲのような携帯型機器の場合、バッテリ容量に限りがあるため、長時間の動作を可能とするためには機器の省電力化を図る必要がある。
【００１５】
このような電子機器が、ＩＥＥＥ１３９４のようなデジタルインタフェースを介して他の電子機器と接続されている場合、携帯型機器はインタフェース側の回路を使用しない場合でも該インタフェース側の回路に対して電源の供給を行う必要がある。特に、ホスト側若しくは他の電子機器の動作状態によっては、インタフェースを介して外部機器との通信が必要ない場合があり、このような場合にはインタフェース側の回路が電力を無駄に消費してしまうという欠点があった。
【００１６】
以上の背景から本出願の発明の目的は、例えばカメラ一体型デジタルＶＴＲのような携帯型機器において、機器全体の省電力化をユーザの使用目的若しくは使用状況に合わせて行えるようにすることである。
【００１７】
【課題を解決するための手段】
本発明に係る携帯型機器は、例えば、被写体を撮像する撮像手段と、前記撮像手段から出力された画像信号を他の電子機器に送信するインタフェース手段と、前記インタフェース手段が機能するのに必要な電源を供給するバッテリと、前記撮像手段から出力された画像信号若しくは前記インタフェース手段より受信された外部からの画像信号を記録媒体に記録し、前記記録媒体に記録されている画像信号を再生する記録再生手段と、前記撮像手段から出力された画像信号を前記記録媒体に記録する第１のモードが選択されているか、前記記録媒体に記録されている画像信号を再生するか、前記前記インタフェース手段より受信された外部からの画像信号を前記記録媒体に記録する第２のモードが選択されているかに応じて、前記バッテリから前記インタフェース手段への電力供給を制御する制御手段とを有し、前記制御手段はさらに、前記バッテリの残量に応じて、前記バッテリから前記インタフェース手段への電力供給を制御することを特徴とする。
【００２３】
【発明の実施の形態】
以下、インターフェース制御装置、電子機器及び通信システムの実施例を図面を用いて詳細に説明する。
【００２４】
図１は本発明に係る実施例のカメラ一体型デジタルＶＴＲ１１５の構成を示すブロック図である。
【００２５】
図１において、１０１は被写体の光学像を集光し、撮像素子１０２上に像形成するためのレンズ群、１０２は例えばＣＣＤ等により構成され、光学像を電気信号に変換して後段の信号処理回路１０４に供給する撮像素子、１０３は外部の音声を集音するマイクロフォン、１０４は撮像素子１０２からの画像信号とマイクロフォン１０３からの音声信号とを表示、磁気記録再生、通信に適した信号形態に変換する処理を行う信号処理回路、１０５は画像信号及び音声信号を磁気テープ等の記録媒体１０６に記録し再生する機能を備えた記録再生部、１０６はレンズ１０１、撮像素子１０２により撮像された画像信号とマイクロフォン１０３により集音された音声信号若しくはインタフェース部１１０を介して外部より入力された画像信号を記録する記録媒体、１０７は撮像した画像信号を表示するモニタ部である。
【００２６】
１０８はカメラ一体型デジタルＶＴＲ１１２の各処理部の動作を制御するコントローラ、１０９は利用者が各種の操作を行うための操作キー、１１０は撮像された画像データを１３９４シリアルバス１１４を介して外部の機器と通信するための１３９４インタフェース部、１１１は１３９４インタフェース部１１０を含めたカメラ一体型デジタルＶＴＲ１１５全体が機能するために必要な電源を供給するバッテリ、１１２は１３９４シリアルバス１１４に接続された機器の挿抜をバイアス電圧により検出するためのバイアス検出回路、１１３は１３９４インタフェース部１１０のポートに接続された１３９４シリアルバスケーブルであり、このケーブルにより外部の機器若しくは通信システムの１３９４インタフェースと物理的に接続される。尚、本実施例では１３９４シリアルバスケーブル１１３に４ピンコネクタケーブルを用いている。
【００２７】
以下では上述のように構成されたカメラ一体型デジタルＶＴＲ１１５の動作を説明する。
【００２８】
被写体をレンズ１０１、撮像装置１０２により撮像して得られた画像信号、及びマイクロフォン１０３により集音されて得られた音声信号は、信号処理回路１０４に入力される。信号処理回路１０４では、これらの画像信号と音声信号をいくつか目的にあった信号形態、例えば表示、記録再生、通信に適した信号処理を行う。
【００２９】
表示に適した信号形態に処理する場合、信号処理回路１０４は、画像信号と音声信号をＮＴＳＣやＰＡＬのような標準テレビジョン信号に準拠した信号形態になるように処理し、モニタ部１０６へ出力する。モニタ部１０６は、これらの画像信号と音声信号をユーザに対して表示する。
【００３０】
記録再生に適した信号形態に処理する場合、信号処理回路１０４は、画像信号と音声信号をデジタル化し、高能率符号化した後、誤り訂正用のパリティコードを付加する等の処理を行う。この処理により生成された信号は、記録再生部１０５により磁気テープや磁気ディスクなどの記録媒体に順次記録されていく。
【００３１】
また、通信にて適した信号形態に処理する場合、信号処理回路１０４は、画像信号と音声信号を１３９４インタフェース部１１０を介して通信可能な信号形態に処理をする。１３９４インタフェース部１１０は信号処理回路１０４から出力された信号を１３９４シリアルバスに準拠したパケット形式にパケッタイズして、外部の機器へと送信する。
【００３２】
コントローラ１０８は、カメラ一体型デジタルＶＴＲ１１５の動作状態に応じて１３９４インタフェース部１１０の動作、及びバッテリ１１１から１３９４インタフェース部１１０に供給される電源を制御している。本実施例では、カメラ一体型デジタルＶＴＲ１１５の動作状態として「カメラモード」と「ビデオモード」の２種類の動作状態を有し、コントローラ１０８は夫々のモード状態に対応して１３９４インタフェース部１１０に供給する電源を制御している。
【００３３】
「カメラモード」とは、カメラ一体型デジタルＶＴＲ１１５の撮像部が動作状態で、記録再生部１０５が撮像部により撮像された画像信号及びマイクロフォンにより集音された音声信号を記録媒体１０６に記録、又は記録一時停止している状態を示すものである。また、「ビデオモード」とは、カメラ一体型デジタルＶＴＲ１１５が記録媒体１０６に記録された画像及び音声信号を記録再生部１０５にて再生処理し、モニタ部１０７に表示する、若しくは記録再生部１０５により再生された画像及び音声信号を１３９４インタフェース部１１０を介して外部の機器へと送信する、或いは外部の機器から送信された画像及び制御データを受信し、該制御データにてコントローラ１０８を制御しながら記録媒体１０６に画像データを記録するためのモードである。この２種類のモードは、操作キー１０９にてユーザが自在に切り換えることが可能であり、コントローラ１０８は操作キー１０９からの指示により「カメラモード」と「ビデオモード」とを使い分ける。尚、カメラ一体型デジタルＶＴＲ１１５の動作モードは操作キー１０９の切換に応じて行うだけでなく、外部の通信システムからの制御信号により動作制御モードを切り換えることも可能である。これにより、１３９４インタフェース部１１０の給電制御を外部の通信システムからも行うことができる。
【００３４】
本実施例の１３９４インタフェース部１１０は電源供給ケーブルのない４ピンコネクタにより外部の機器と接続されている。このため、１３９４インタフェース部１１０を動作させるには、カメラ一体型デジタルＶＴＲ１１５自身の電源を常に供給する必要がある。
【００３５】
通常、「カメラモード」は外部の被写体を撮影するためモードであり、撮影された被写体の画像及び音声信号をデジタルインタフェースを介して外部の機器に出力する必要性は少ない。そのため、１３９４インタフェース部１１０に常に電源を供給することはバッテリを無駄に消費することになる。従って、本実施例では、カメラ一体型デジタルＶＴＲ１１５の動作モードが「カメラモード」であるときは、１３９４インタフェース部１１０に対して電源の供給を遮断し、インタフェース内部の各レイヤの動作を部分的に停止させることにより、データの送受信を行えない状態（スリープモード）になるように制御する。この「スリープモード」はインタフェース内部に設けられた物理レイヤ、リンクレイヤ及びバス管理レイヤの機能を停止させ、更に１３９４ケーブルにバイアス電圧を出力しない状態であり、消費電力は少ない。
【００３６】
また、カメラ一体型デジタルＶＴＲ１１５の動作モードが「ビデオモード」であるとき、ユーザは１３９４インタフェース部１１０を例えば、据え置き型のデジタルＶＴＲのような外部機器若しくは１３９４インタフェースを有する複数の電子機器により構成された通信システムと接続し、記録媒体１０６に記録した画像及び音声データの編集を行う頻度が高い。従って、「ビデオモード」の場合には、コントローラ１０８は常に外部の機器と通信可能なように１３９４インタフェース部１１０の各レイヤに対して電源を供給し、通常の動作を可能な状態（通常モード）に制御する方がユーザの使い勝手としては良い。
【００３７】
尚、本実施例において、「カメラモード」では自動的に「スリープモード」に、「ビデオモード」では自動的に「通常モード」になるように設定されているが、操作キー１０９を操作することによって「カメラモード」でも「通常モード」に、又「ビデオモード」でも「スリープモード」になるようにも制御でき、機器の使用状況、使用要求に合わせた通信が可能である。
【００３８】
又、バッテリ１１１にバッテリの残量を検出する不図示の残量検出回路を設け、該残量検出回路の検出結果に応じて電源モードを切り換えることもできる。
【００３９】
以上のように、本実施例のカメラ一体型デジタルＶＴＲ１１５は、ユーザの選択する動作モードに応じて１３９４インタフェース部１０９に供給する電源を制御することができる。これにより、ユーザの使用状況に応じた節電制御が実行可能となるため、無駄な電力の消費を抑えることができ、特にバッテリ駆動の携帯型機器には都合がよい。
【００４０】
上述の実施例では、１３９４インタフェース部１１０へ供給する電源の制御をカメラ一体型デジタルＶＴＲ１１５の動作モードにより行なっていたが、１３９４インタフェース部１１０のポートに他の電子機器が接続されているか否かによっても制御するができる。
【００４１】
図２は１３９４インタフェース部を有した電子機器同士の接続を説明する図である。尚、電源用ペアケーブルについては省略する。
【００４２】
各機器の物理レイヤ２０１、２０２は、信号伝送用のツイストペアケーブル２０３、２０４を持った１３９４シリアルバスケーブルによって直接接続されいる。１３９４シリアルバスでは、この二組の信号伝送用のツイストペアケーブル２０３、２０４を用いることによって双方向にデータの通信を行うことができる。各機器の物理レイヤ２０１、２０２は、二組のツイストペアケーブル２０３、２０４のうち一方にバイアス電圧を供給し、他方のツイストペアケーブルからバイアス電圧を検出するように構成されている。これにより、１３９４シリアルバスを用いた通信システム内の各機器は、バス上のバイアス電圧の変化をみることによって他の電子機器の挿抜を検知することが可能となる。
【００４３】
本実施例のカメラ一体型デジタルＶＴＲ１１５では、１３９４シリアルバスにて構成された外部の通信システムと接続された場合、１３９４インタフェース部１１０の物理レイヤ若しくは外部に設けられたバイアス検出回路１１２が１３９４シリアルバス上のバイアス電圧を検出する。カメラ一体型デジタルＶＴＲ１１５のコントローラ１０８の制御する電源制御モードが「通常モード」である場合、バッテリ１１１は１３９４インタフェース部１１０内の各レイヤ（物理レイヤ、リンクレイヤ、バス管理レイヤ）に対して電源を供給しているため、物理レイヤは外部の通信システムと接続されたことを検出できる。
【００４４】
また、電源制御モードが「スリープモード」である場合、コントローラ１０８は１３９４インタフェース部１１０への電源の供給を遮断するように制御するため、１３９４インタフェース部１１０内の物理レイヤでは接続を検出することができない。そのため、本実施例ではインタフェース外部に設けられたバイアス検出回路１１２にて検出できるように構成している。バイアス検出回路１１２における検出結果は、コントローラ１０８に送られ、その検出結果に応じて１３９４インタフェース部１１０に対する電源制御モードを「スリープモード」から「通常モード」に変化させる。
【００４５】
以下に、カメラ一体型デジタルＶＴＲ１１５の動作状態と１３９４インタフェース部１１０の接続状態とに応じた給電制御について説明する。図３は、カメラ一体型デジタルＶＴＲ１１５の動作状態とインタフェース部１１０の接続状況に応じた電源制御モード状態を示す図である。
【００４６】
まず、カメラ一体型デジタルＶＴＲ１１５の動作状態が「カメラモード」である場合の電源制御について説明する。
【００４７】
動作状態が「カメラモード」で、且つ１３９４インターフェース部１１０が外部の機器と接続されていない場合には、外部機器を通信をする必要がないため、電源制御モードは「スリープモード」に設定される。
【００４８】
また、動作状態が「カメラモード」で、且つ１３９４インターフェース部１１０が外部の機器と接続されている場合も、撮影状態にある被写体の画像信号をデジタルインタフェースを介して外部の機器に出力する必要性は少ないため「スリープモード」に設定される。
【００４９】
しかし、ユーザによっては、撮影されている画像信号と集音されている音声信号をカメラ一体型デジタルＶＴＲ１１５の記録媒体１０６に記録すると共に、外部の例えば据置型のデジタルＶＴＲのような記録再生装置に対しても同時に記録をさせたい場合がある。この場合、１３９４インタフェース部１１０が「スリープモード」であれば、外部の機器と通信するは不可能であるので、電源制御モードを「通常モード」に変更する必要がある。そのため、その場合には操作キー１０９を操作することによりユーザ自身に使用目的に合わせて設定を変更することも可能である。
【００５０】
又、ユーザの使用状況若しくはバッテリ１１１の残量によっては「カメラモード」でも外部の機器と通信を行わない又は行いたくない場合がある。この場合、電源制御モードを常に「通常モード」にしておくことはバッテリ１１１の消費につながるのでユーザは操作キー１０９のスイッチを操作することにより、１３９４インタフェース部１１０の状態が「通常モード」になるようにコントローラ１０８に対して指示することも可能である。ここで、バッテリ１１１の残量は、コントローラ１０８が不図示の残量検出回路の検出結果をモニタ部１０７に送り、ユーザが視覚的に認識可能な表示形態に処理して表示することによって示される。
【００５１】
続いて、カメラ一体型デジタルＶＴＲ１１５の動作状態が「ビデオモード」である場合の電源制御について説明する。
【００５２】
通常、動作状態が「ビデオモード」で、且つ１３９４インターフェース部１１０が外部の機器と接続されている場合には、その外部機器を利用して記録した画像及び音声データを編集することを目的とする頻度が高い。従って、このような条件では、電源供給モードは「通常モード」に設定される。
【００５３】
また、このような条件では電源供給モードの設定を機器の有するバッテリの残量に応じて自動若しくは手動で「スリープモード」に変更することも可能である。電源供給モードの設定の変更は、バッテリ１１１の残量、若しくは操作キー１０９からの制御命令に応じて行われる。バッテリ１１１の残量は不図示の残量検出回路により検出され、その検出結果はコントローラ１０８に送られる。コントローラ１０８は、バッテリ１１１の残量が所定値に比べて低いと判断すれば、１３９４インタフェース部１１０に対して電源の供給を止めるようにバッテリ１１１に知らせ、１３９４インタフェース部１１０を自動的に「スリープモード」状態にする。また、コントローラ１０８はバッテリ１１０から受け取ったバッテリ残量検出結果をモニタ部１０７に送り、画像信号と重畳させるようにバッテリ残量検出結果を表示する。ユーザは、このバッテリ残量検出結果を表示により確認し、バッテリを節約したいと考えれば、操作キー１０９を操作して電源供給モードをマニュアルで「スリープモード」に変更することができる。
【００５４】
また、動作状態が「ビデオモード」で、且つ１３９４インターフェース部１１０が外部の機器と接続されていない場合には、その外部機器との通信を行う必要がない。従って、このような条件では、電源供給モードは「スリープモード」に設定される。
【００５５】
このように電源供給モードを、記録再生部１０５の動作状態及び外部機器との接続状態に応じて決定することにより、携帯型機器の特長を損なわず、且つユーザの使用状況に応じたバッテリの省電力化を実現することができる。
【００５６】
尚、本発明はその精神、又はその主要な特徴から逸脱することなく、様々な形で実施することができる。したがって前述の実施例はあらゆる点おいて単なる例示に過ぎず、限定的に解釈してはならない。
【００５７】
【発明の効果】
以上説明したように本発明によれば、例えばカメラ一体型デジタルＶＴＲのような携帯型機器において、機器全体の省電力化をユーザの使用目的若しくは使用状況に合わせて行うことができる。
【図面の簡単な説明】
【図１】本実施例に係るカメラ一体型デジタルＶＴＲの構成を説明するブロック図。
【図２】本実施例に係る１３９４インタフェース部を有した電子機器同士の接続を説明する図。
【図３】本実施例に係るカメラ一体型デジタルＶＴＲ１１５の動作状態とインタフェース部１１０の接続状況に応じた電源制御モード状態を示す図。
【図４】１３９４シリアルバスを用いて構成された通信システムの一例を示す図。
【図５】１３９４インタフェース部の基本構成を示す図。
【図１】
0003832918.tif 000002
【図２】
0003832918.tif 000003
【図３】
0003832918.tif 000004
【図４】
0003832918.tif 000005
【図５】
0003832918.tif 000006